(57)【要約】【課題】コネクタＣ１とコネクタＣ２との嵌合部のトラッキング現象による火災を防ぐ機器取付用ベースを提供する。【解決手段】プリント基板を備えた機器取付用ベースであって、前記プリント基板は、外部電源装置と結ばれる電源用配線や外部機器と結ばれる信号用配線を接続する端子台と、機器本体に対して電源や信号の受け渡しを行うコネクタとを備え、前記端子台と前記コネクタとの間の印刷配線の電源ラインや信号ラインに、過電流保護素子を備える。【選択図】図１
2019191787.tif 000002
【特許請求の範囲】
【請求項１】
プリント基板を備えた機器取付用ベースであって、
前記プリント基板は、外部電源装置と結ばれる電源用配線や外部機器と結ばれる信号用配線を接続する端子台と、
機器本体に対して電源や信号の受け渡しを行うコネクタとを備え、
前記端子台と前記コネクタとの間の印刷配線の電源ラインや信号ラインに、過電流保護素子を備えたことを特徴とする機器取付用ベース。
【発明の詳細な説明】
【技術分野】
【０００１】
本発明は、防犯用の侵入者検知装置などの機器を、天井面に設置し、電気的接続を行う機器取付用ベースに関するものである。
【背景技術】
【０００２】
従来、侵入者検知装置は、天井に取り付けられることが多く、天井面に固定される機器取付用ベースと、この機器取付用ベースに着脱可能な侵入者検知装置本体から構成されている（特許文献１参照）。
【０００３】
図３は、機器取付用ベース３０の断面図であり、天井４０に固定された状態を示している。機器取付用ベース３０には、天井４０に固定するための複数の取付ネジ用穴（図示省略）を備えており、また、中央部に外部の電源装置と結ばれる電源用配線と、外部の制御装置と結ばれる信号用配線（ともに図示省略）を導入する開口部１３を備えている。Ｃ１とＣ２は、侵入者検知装置本体２０との間で、電源と信号の受け渡しをおこなうコネクタである。侵入者検知装置本体２０を機器取付用ベース３０に取り付けると、自動的にこのコネクタＣ１とＣ２が、結合するように構成されている。
【０００４】
図４は、従来の機器取付用ベースのブロック図である。端子台１１の１番端子は、コネクタＣ１の１番ターミナルに、端子台１１の２番端子は、コネクタＣ１の２番ターミナルに、端子台１１の３番端子は、コネクタＣ１の３番ターミナルに、端子台１１の４番端子は、コネクタＣ１の４番ターミナルに、それぞれ接続されている。
【０００５】
以上の構成のベースに接続されるのが侵入者検知装置本体２０であり、コネクタＣ２、電源部２１、侵入者検知部２２、出力部２３で構成されている。コネクタＣ２の１番ピンと、コネクタＣ２の２番ピンは、電源部２１と接続され、コネクタＣ２の３番ピンと、コネクタＣ２の４番ピンは、出力部２３と接続されている。侵入者検知部２２が侵入者を検知すると、出力部２３内のスイッチ部が開放され、無電圧の接点信号としてコネクタＣ２を通じて、端子台１１の３番端子と４番端子から出力される。
【先行技術文献】
【特許文献】
【０００６】
【特許文献１】実開平０６−０２５９８４号公報
【発明の概要】
【発明が解決しようとする課題】
【０００７】
しかしながら、屋内機器では開口部１３や取付ネジ用穴にグロメットを使用したり、コーキングしたりすることがないため、開口部１３や取付ネジ用穴から浸水することがある。この浸水の影響により、コネクタＣ１とコネクタＣ２との嵌合部において、ごみくず等がたまり、トラッキング現象が生じ、火災が起こる可能性があった。
浸水の対策として、グロメットを使用したり、コーキングしたり、防水用コネクタを使用したりするとコストが上がってしまうという弊害があった。
【課題を解決するための手段】
【０００８】
上記課題を解決するために、機器取付用ベースは、プリント基板を備えた機器取付用ベースであって、前記プリント基板は、外部電源装置と結ばれる電源用配線や外部機器と結ばれる信号用配線を接続する端子台と、機器本体に対して電源や信号の受け渡しを行うコネクタとを備え、前記端子台と前記コネクタとの間の印刷配線の電源ラインや信号ラインに、過電流保護素子を備えたことを特徴とする。
【発明の効果】
【０００９】
従来では、コネクタＣ１とコネクタＣ２との嵌合部において、トラッキング現象などが発生すると、過大電流が流れ続けることになるが、本発明の機器取付用ベースでは、過電流保護素子を備えることにより、この電流を遮断、または抑制することができ、トラッキング現象などの継続を止めることができるため、安全性が向上する。
また、従来の構造に過電流保護素子を備えるだけであり、低コストで実現できる。
また、従来の機器取付用ベースと本発明の機器取付用ベースとを交換するのみで、侵入者検知装置本体は交換不要であり、従来のものをそのまま使用できる。
【図面の簡単な説明】
【００１０】
【図１】本発明の機器取付用ベースの１実施形態を示すブロック図である。
【図２】本発明の機器取付用ベースの底面図である。
【図３】従来および本発明の機器取付用ベースの断面図である。
【図４】従来の機器取付用ベースを示すブロック図である。
【発明を実施するための形態】
【００１１】
図３は、本発明の機器取付用ベース１０の断面図であり、天井４０に固定された状態を示している。従来の機器取付用ベースと同様に、機器取付用ベース１０には、天井４０に固定するための複数の取付ネジ用穴（図示省略）を備えており、また、中央部に外部の電源装置と結ばれる電源用配線と、外部の制御装置と結ばれる信号用配線（ともに図示省略）を導入する開口部１３を備えている。Ｃ１とＣ２は、侵入者検知装置本体２０との間で、電源と信号の受け渡しをおこなうコネクタである。侵入者検知装置本体２０を機器取付用ベース１０に取り付けると、自動的にこのコネクタＣ１とＣ２が、結合するように構成されている。
【００１２】
図２は、本発明の機器取付用ベース１０の底面図である。１３は、開口部であり、１４は、取付ネジ用穴である。１１は、外部の電源装置と結ばれる電源用配線や外部の制御装置と結ばれる信号用配線を接続する端子台である。１２は、端子台１１、コネクタＣ１、およびヒューズやＰＴＣサーミスタなどの過電流保護素子Ｐ（図示省略）を実装したプリント基板である。プリント基板１２上の印刷配線により、端子台１１とコネクタＣ１との間が接続される。
【００１３】
図１は、本発明の機器取付用ベースの１実施形態を示すブロック図である。端子台１１の１番端子は、過電流保護素子Ｐを介してコネクタＣ１の１番ターミナルに、端子台１１の２番端子は、コネクタＣ１の２番ターミナルに、端子台１１の３番端子は、過電流保護素子Ｐを介してコネクタＣ１の３番ターミナルに、端子台１１の４番端子は、コネクタＣ１の４番ターミナルに、それぞれ接続されている。
【００１４】
以上の構成の機器取付用ベース１０に接続されるのが侵入者検知装置本体２０であり、コネクタＣ２、電源部２１、侵入者検知部２２、出力部２３で構成されている。コネクタＣ２の１番ピンと、コネクタＣ２の２番ピンは、電源部２１と接続され、コネクタＣ２の３番ピンと、コネクタＣ２の４番ピンは、出力部２３と接続されている。侵入者検知部２２が侵入者を検知すると、出力部２３内のスイッチ部が開放され、無電圧の接点信号としてコネクタＣ２を通じて、端子台１１の３番端子と４番端子から出力される。
【００１５】
本発明の機器取付用ベースでは、コネクタＣ１とコネクタＣ２との嵌合部において、トラッキング現象などが発生しても、過電流保護素子Ｐにより、電流を遮断、または抑制することができ、トラッキング現象などの継続を止めることができるため、安全性が向上する。
また、従来の構造に過電流保護素子を備えるだけであり、低コストで実現できる。
また、従来の機器取付用ベースと本発明の機器取付用ベースとを交換するのみで、侵入者検知装置本体は交換不要であり、従来のものをそのまま使用できる。
【００１６】
以上、本発明の実施形態を説明したが、上述の実施形態は例として提示したものであり、発明の範囲は、これに限定するものではなく、その他の様々な形態で実施されることが可能であり、特許請求の範囲に記載された発明の範囲とその均等の範囲に含まれるものである。
【符号の説明】
【００１７】
１，２，３，４・・・端子
１０，３０・・・機器取付用ベース
１１・・・端子台
１２・・・プリント基板
１３・・・開口部
１４・・・取付ネジ用穴
２０・・・侵入者検知装置本体
２１・・・電源部
２２・・・侵入者検知部
２３・・・出力部
４０・・・天井
Ｃ１，Ｃ２・・・コネクタ
Ｐ・・・過電流保護素子
【図１】
2019191787.tif 000003
【図２】
2019191787.tif 000004
【図３】
2019191787.tif 000005
【図４】
2019191787.tif 000006